(57)【要約】【課題】被施療者が最適な姿勢で呼吸誘導の施療を受けることができ、高い施療効果を得ることができる呼吸誘導機能付きマッサージチェアを提供することである。【解決手段】呼吸誘導機能付きマッサージチェア１００は、被施療者の臀部を支持する座部２００と、被施療者に対して呼吸誘導の施療を行うエアバッグ３１０を有し、被施療者の背中を支持し、座部２００の端部に枢支された背凭れ部３００と、被施療者の姿勢を検知する姿勢センサー２３０と、背凭れ部３００のエアバッグ３１０を制御する制御部６００と、を含み、制御部６００は、姿勢センサー２３０の検知結果が正しい姿勢に合致した場合に、被施療者に対して呼吸誘導の施療を行うよう施療部を制御する。【選択図】図１
2018130230.tif 000002
【特許請求の範囲】
【請求項１】
被施療者の臀部を支持する座部と、
前記被施療者に対して呼吸誘導の施療を行う施療部を有し、前記被施療者の背中を支持し、前記座部の端部に枢支された背凭れ部と、
前記被施療者の姿勢を検知する姿勢検知部と、
前記背凭れ部の前記施療部を制御する制御部と、を含み、
前記制御部は、前記姿勢検知部の検知結果が所定のパターンに合致した場合に、前記被施療者に対して前記呼吸誘導の施療を行うよう前記施療部を制御する、呼吸誘導機能付きマッサージチェア。
【請求項２】
前記姿勢検知部は、前記座部に設けられ、前記被施療者の左右の荷重を計測する荷重計と、
前記座部または前記背凭れ部に設けられ、前記被施療者の臀部が前記背凭れ部に当接していることを検知する座面センサーと、
前記被施療者の姿勢を検知する姿勢センサーと、を含み、
前記制御部は、前記荷重計の計測結果に基づいて前記被施療者の左右の荷重が均等であることを判定し、
前記座面センサーの計測結果に基づいて前記被施療者の臀部が前記背凭れ部に当接していることを判定し、
前記姿勢センサーの計測結果に基づいて前記被施療者が、背骨が生理的湾曲している姿勢をとっていることを判定した場合、
前記制御部は、前記姿勢制御部の前記検知結果が前記所定のパターンに合致したと判定する、請求項１に記載の呼吸誘導機能付きマッサージチェア。
【請求項３】
前記被施療者の脚を載せる脚載せ部と、
前記脚載せ部を回動させる脚載せ部回動アクチュエータと、を含み、
前記制御部は、前記荷重計が荷重を検知し、かつ前記被施療者の臀部が前記背凭れ部に当接していると判定しなかった場合、前記脚載せ部回動アクチュエータを制御することにより、前記脚載せ部を回動して前記脚載せ部の下端部を上昇させる、請求項２に記載の呼吸誘導機能付きマッサージチェア。
【請求項４】
前記背凭れ部を回動させる背凭れ部回動アクチュエータを含み、
前記制御部は、前記被施療者が、背骨が生理的湾曲している姿勢をとっていることを判定した場合、前記背凭れ部回動アクチュエータを制御することにより、前記背凭れ部を起立状態にする、請求項２または請求項３に記載の呼吸誘導機能付きマッサージチェア。
【請求項５】
前記背凭れ部の前記施療部はエアバッグであり、
前記エアバックに対してエアを吸排気する吸排気機構を含み、
前記制御部は、前記姿勢制御部の前記検知結果が前記所定のパターンに合致した場合に、前記吸排気機構を制御して、前記エアバッグに対して吸排気を繰り返すことにより、前記被施療者に対して前記呼吸誘導の施療を行う、請求項１から請求項４のいずれか１項に記載の呼吸誘導機能付きマッサージチェア。
【請求項６】
呼吸誘導の施療を被施療者に報知する報知部をさらに含む、請求項１から請求項５のいずれか１項に記載の呼吸誘導機能付きマッサージチェア。
【発明の詳細な説明】
【技術分野】
【０００１】
本発明は、呼吸誘導機能付きマッサージチェアに関する。
【背景技術】
【０００２】
従来、呼吸誘導機能付きマッサージチェアについて研究開発が行われている。特に特許文献１（特開２０１６−７３６１３号公報）は、呼吸誘導を行うことができる施療装置について開示されている。
【０００３】
特許文献１に記載の施療装置は、呼吸補助は、揉み玉ユニット及び上腕部エアセルによって行うことができる。基準呼吸の呼気時に上腕部エアセルによって被施療者の胸部を肩に対して後方へ押し込む押込動作を行う。また、基準呼吸の吸気時に揉み玉ユニットによって被施療者の胸部を肩に対して前方へ押し出す押出動作を行う。
【先行技術文献】
【特許文献】
【０００４】
【特許文献１】特開２０１６−７３６１３号公報
【発明の概要】
【発明が解決しようとする課題】
【０００５】
特許文献１に記載の施療装置は、呼気時に押込動作を行うことで被施療者の胸部を閉じて呼気を促すとともに、吸気時に押出動作を行うことで被施療者の胸部を開いて吸気を促すことができる。これにより、被施療者による実際の呼吸をより確実に基準呼吸に合わすように誘導できるとともに、被施療者の呼吸動作を大きくすることができる。
【０００６】
しかし、特許文献１に記載の施療装置は、被施療者をよりくつろいだ状態に導くことを目的としているが、自由な姿勢で、かつ固い揉み玉のみによる背面からの押圧では、被施療者は圧迫感を感じ早期にくつろいだ状態に導くことが困難であった。
【０００７】
本発明の主な目的は、被施療者が最適な姿勢で呼吸誘導の施療を受けることができ、高い施療効果を得ることができる呼吸誘導機能付きマッサージチェアを提供することである。
【課題を解決するための手段】
【０００８】
（１）
一局面に従う呼吸誘導機能付きマッサージチェアは、被施療者の臀部を支持する座部と、被施療者に対して呼吸誘導の施療を行う施療部を有し、被施療者の背中を支持し、座部の端部に枢支された背凭れ部と、被施療者の姿勢を検知する姿勢検知部と、背凭れ部の施療部を制御する制御部と、を含み、制御部は、姿勢検知部の検知結果が所定のパターンに合致した場合に、被施療者に対して呼吸誘導の施療を行うよう施療部を制御するものである。
【０００９】
この場合、姿勢検知部の検知結果が所定のパターンに合致した場合に、制御部は、被施療者に対して呼吸誘導の施療を行うよう施療部を制御する。この結果、被施療者が最適な姿勢で呼吸誘導の施療を受けることができる。また、被施療者は、最適な姿勢で、通常の揉み、叩き等のマッサージによる施療を受けることができる。従って、高い施療効果を得ることができる。
【００１０】
（２）
第２の発明にかかる呼吸誘導機能付きマッサージチェアは、一局面に従う呼吸誘導機能付きマッサージチェアにおいて、姿勢検知部は、座部に設けられ、被施療者の左右の荷重を計測する荷重計と、座部または背凭れ部に設けられ、被施療者の臀部が背凭れ部に当接していることを検知する座面センサーと、被施療者の姿勢を検知する姿勢センサーと、を含み、制御部は、荷重計の計測結果に基づいて被施療者の左右の荷重が均等であることを判定し、座面センサーの計測結果に基づいて被施療者の臀部が背凭れ部に当接していることを判定し、姿勢センサーの計測結果に基づいて被施療者が、背骨が生理的湾曲している姿勢をとっていることを判定した場合、制御部は、姿勢制御部の検知結果が所定のパターンに合致したと判定してもよい。
【００１１】
この場合、被施療者の姿勢が所定のパターンの姿勢、すなわち、被施療者の左右の荷重が均等であり、被施療者の臀部が背凭れ部に当接しており、被施療者が、背骨が生理的湾曲している姿勢をとっていることに合致した場合に、制御部は、被施療者に対して呼吸誘導の施療を行うよう施療部を制御する。この結果、被施療者がより最適な姿勢で呼吸誘導の施療を受けることができる。
【００１２】
具体的に正しい姿勢とは、被施療者の左右の荷重が均等であり、被施療者の臀部が背凭れ部に当接しており、被施療者が、背骨が生理的湾曲している姿勢をとっていることである。
【００１３】
そして、被施療者の左右の荷重が均等であるとは、被施療者が座部に着座している状態で被施療者の姿勢が左右のいずれかに傾いていないことである。また、被施療者の臀部が背凭れ部に当接しているとは、被施療者が奥まで（座部と背凭れ部との連結部分まで）着座していることである。また、被施療者が、背骨が生理的湾曲している姿勢をとるとは、背骨が緩やかなＳ字カーブを描いていることをいい、より詳細には、首が前湾しており、背中が後湾しており、腰（胸のから下）が前湾しており、被施療者を横から見た時に、耳の穴、肩の中心、股関節が直線上にある状態をいう。
【００１４】
（３）
第３の発明にかかる呼吸誘導機能付きマッサージチェアは、第２の発明にかかる呼吸誘導機能付きマッサージチェアにおいて、被施療者の脚を載せる脚載せ部と、脚載せ部を回動させる脚載せ部回動アクチュエータと、を含み、制御部は、荷重計が荷重を検知し、かつ被施療者の臀部が背凭れ部に当接していると判定しなかった場合、脚載せ部回動アクチュエータを制御することにより、脚載せ部を回動して脚載せ部の下端部を上昇させてもよい。
【００１５】
被施療者が座部に着座しても被施療者の臀部が背凭れ部に当接していない場合、脚載せ部を回動して脚載せ部の下端部を上昇させる。これにより、被施療者の脚が伸びた状態となるため、座部の大きさに関わらず、容易に臀部を背凭れ部に当接させることができる。その結果、被施療者が容易に正しい姿勢をとることができる。従って、身長の低い被施療者であっても容易に臀部を背凭れ部に当接させて正しい姿勢をとることができる。
【００１６】
（４）
第４の発明にかかる呼吸誘導機能付きマッサージチェアは、第２の発明または第３の発明にかかる呼吸誘導機能付きマッサージチェアにおいて、背凭れ部を回動させる背凭れ部回動アクチュエータを含み、制御部は、被施療者が、背骨が生理的湾曲している姿勢をとっていることを判定した場合、背凭れ部回動アクチュエータを制御することにより、背凭れ部を起立状態にしてもよい。
【００１７】
被施療者が、背骨が生理的湾曲している姿勢をとっている場合に、背凭れ部を起立状態にするので、背凭れ部のサポート受けて、背骨が生理的湾曲している姿勢を容易に維持することができる。この結果、被施療者の口からの気道が最適な状態となり、被施療者が容易に自然と呼吸し易い姿勢で呼吸誘導の施療を受けることができる。
【００１８】
（５）
第５の発明にかかる呼吸誘導機能付きマッサージチェアは、一局面から第４の発明にかかる呼吸誘導機能付きマッサージチェアにおいて、背凭れ部の施療部はエアバッグであり、エアバックに対してエア（気体）を吸排気する吸排気機構を含み、制御部は、姿勢制御部の検知結果が所定のパターンに合致した場合に、吸排気機構を制御して、エアバッグに対して吸排気を繰り返すことにより、被施療者に対して呼吸誘導の施療を行ってもよい。
【００１９】
この場合、エアバッグに対して吸排気を繰り返すことにより、被施療者に対して揉み玉等の施療子と比較してソフトな感覚で呼吸誘導の施療を行うことができる。具体的には、揉み玉よりも広範囲の領域で背中に接して背中に力を加えることになるので、手のひら全体で押す感覚に近くなる。また、複数のエアバッグを並べて配置し、順次膨縮するように制御することで、背中をさするような施療を行うことができる。その結果、被施療者を早期にくつろいだ状態に導くことができ、呼吸誘導の施療効果を向上させることができる。
【００２０】
（６）
第６の発明にかかる呼吸誘導機能付きマッサージチェアは、一局面から第５の発明にかかる呼吸誘導機能付きマッサージチェアにおいて、呼吸誘導の施療を被施療者に報知する報知部をさらに含んでもよい。
【００２１】
この場合、施療部による呼吸誘導の施療に加えて、報知部が音および／または映像により呼吸誘導を補助するので、より確実でより優れた施療効果を得ることができる。その結果、被施療者をより早期にくつろいだ状態に導くことができる。
【図面の簡単な説明】
【００２２】
【図１】呼吸誘導機能付きマッサージチェアの一例を示す斜視図である。
【図２】呼吸誘導機能付きマッサージチェアの背凭れ部が傾斜している状態を示す模式的側面図である。
【図３】呼吸誘導機能付きマッサージチェアの背凭れ部が起立している状態を示す模式的側面図である。
【図４】座部を上方から視野した場合の一例を示す模式的平面図である。
【図５】背凭れ部を前側から視野した場合の一例を示す模式的平面図である。
【図６】呼吸誘導機能付きマッサージチェアの内部構成の一例を示す模式図である。
【図７】呼吸誘導機能付きマッサージチェアにおける制御を示すフローチャート図である。
【図８】呼吸誘導機能付きマッサージチェアにおける制御を示すフローチャート図である。
【図９】呼吸誘導機能付きマッサージチェアにおける呼吸誘導の施療実施制御の詳細を示すフローチャート図である。
【発明を実施するための形態】
【００２３】
以下、本発明に係る実施の形態について図面を用いて説明する。以下の説明では、同一の部品には同一の符号を付してある。それらの名称および機能も同じである。したがって、それらについての詳細な説明は繰り返さない。
【００２４】
＜全体構成＞
図１は、呼吸誘導機能付きマッサージチェアの一例を示す斜視図である。
【００２５】
図１に示すように、呼吸誘導機能付きマッサージチェア１００は、座部２００、姿勢センサー２３０背凭れ部３００、基台部４００、腕施療部５００、制御部６００、報知部６７０、操作部７００、スタンド８００、および脚載せ部９００を有する。
【００２６】
また、説明のために、図１に示すように、呼吸誘導機能付きマッサージチェア１００においては、座部２００に背凭れ部３００が形成された側を後側（ＢＡＣＫ）と仮定し、後側（ＢＡＣＫ）と逆側を前側（ＦＲＯＮＴ）と仮定し、被施療者が座部に着座したときの被施療者から見た右側および左側をそれぞれ、左側（ＬＥＦＴ）および右側（ＲＩＧＨＴ）と仮定する。これらの側は、被施療者が座部２００に着座した場合に被施療者から見た側と一致している。
【００２７】
呼吸誘導機能付きマッサージチェア１００の後側には、背凭れ部３００が設けられ、座部２００の前側には、脚載せ部９００が設けられる。座部２００の左右両側には、それぞれ一対の基台部４００が設けられる。また、基台部４００の上にそれぞれ腕施療部５００が設けられる。
【００２８】
また、背凭れ部３００の上部には、姿勢検知センサー２３０が設けられる。姿勢検知センサー２３０の詳細については、後述する。
背凭れ部３００には図示しない施療のためのエアバッグもしくは内部にメカユニット、またはその両方が設けられている。
【００２９】
腕施療部５００の少なくとも一方側の、基台部４００および腕施療部５００の間からスタンド８００が設けられ、スタンド８００に操作部７００が保持される。
【００３０】
また、腕施療部５００の内部に報知部６７０が内蔵される。本実施の形態においては、報知部６７０は、音を発生させるスピーカーである。なお、本実施の形態においては、腕施療部５００の内部に設けることとしているが、これに限定されず、操作部７００の内部に設けてもよく、報知部６７０は、操作部７００の表示部を含んでもよい。
【００３１】
次に、図２は、呼吸誘導機能付きマッサージチェア１００の背凭れ部３００が傾斜している状態を示す模式的側面図である。また、図３は、呼吸誘導機能付きマッサージチェア１００の背凭れ部３００が起立している状態を示す模式的側面図である。
【００３２】
本実施の形態においては、呼吸誘導の施療を行う場合、当初、図２に示すように背凭れ部３００は、傾斜している基本的な状態にある。そして、被施療者の姿勢が正しい姿勢になったことを検知した後、図３に示すように、背凭れ部３００は、地面に対して略垂直に起立した状態で呼吸誘導の施療を行う。
【００３３】
一般的に、くつろいだ状態として、通常の椅子では、図２に示すように背凭れ部３００がやや傾斜している状態が好まれる。すなわち、背凭れ部３００の上端が後側へ傾斜している状態である。これに対して、ヨガ、整体、ピラティス、マインドフルネス、瞑想などでは、地面と垂直に正しい姿勢で座る状態が基本姿勢となっている。
【００３４】
したがって、呼吸誘導の施療においても、正しい姿勢でゆっくりと静かに深呼吸することが呼吸を整える最も良い方法である。したがって、図３に示すように、背凭れ部３００を地面に対して略垂直に起立させた状態にすることにより、被施療者は、正しい姿勢を維持しながら呼吸誘導を効率よく行うことができる。
【００３５】
［座部２００］
図４は、座部２００を上方から視野した場合の一例を示す模式的平面図である。
【００３６】
図４に示すように、座部２００には、一対の荷重計２１０ａ，２１０ｂおよび座面センサー２２０が内蔵されている。
【００３７】
一対の荷重計２１０ａ、２１０ｂは、被施療者が座部２００に着座した場合に、被施療者の左右の荷重を計測する。また、座面センサー２２０は、被施療者が座部２００に着座した場合に、被施療者の臀部が背凭れ部３００に当接していることを検知する。また、座面センサー２２０は、荷重計からなってもよく、赤外線検知センサーからなってもよい。
【００３８】
［背凭れ部３００］
図５は、背凭れ部３００を前側から視野した場合の一例を示す模式的平面図である。
【００３９】
図５に示すように、背凭れ部３００は、左右均等に配設されたエアバッグ３１０ａ，〜，３１０ｆを有する。
【００４０】
図５のエアバッグ３１０ａ，〜，３１０ｆは、被施療者の背中を施療するものである。従来の施療装置では、固体の揉み玉ユニットにより呼吸誘導の施療を行っていたが、本実施の形態においては、エアバッグ３１０ａ，〜，３１０ｆを用いるため、被施療者の緊張を和らげることができ、従来よりも速やかに呼吸誘導させることが可能となる。
【００４１】
なお、エアバッグ３１０ａ，〜，３１０ｆの代わりに、エアバッグ３１０ａ，〜，３１０ｆと固体の揉み玉ユニットと、の両方を用いても顕著な効果を得ることができる。さらに、速攻性は若干劣るものの、エアバッグ３１０ａ，〜，３１０ｆの代わりに、揉み玉ユニットを用いてもよい。
【００４２】
以下、エアバッグ３１０ａ，〜，３１０ｆの全てを意味する場合には、エアバッグ３１０と略記する。
【００４３】
なお、図４に示すように、座面センサー２２０は、座部２００に設けるとして説明したが、これに限定されるものではなく、図５に示すように、背凭れ部３００の下側に座面センサー２２０を設けてもよい。
【００４４】
［姿勢センサー２３０］
上述したように、姿勢センサー２３０は、背凭れ部３００の上部に設けられる（図１参照）。
姿勢センサー２３０は、赤外線を出射する発光部と、被施療者から反射してきた赤外線を受光する受光部と、受光部で受光された赤外線を信号処理することにより被施療者の姿勢を検知する検知部と、を有している。
【００４５】
したがって、姿勢センサー２３０は、座部２００に着座した被施療者の上半身の姿勢が直立で、背骨が生理的湾曲している姿勢をとっているか否かを推定することができるものである。
【００４６】
具体的には、姿勢センサー２３０は、背凭れ部３００の傾斜角度を取得すると共に、被施療者の身体の首辺りまでの距離を姿勢センサー２３０で測定し、背凭れ部３００の傾斜角度と、被施療者の姿勢の測定結果に基づいて、被施療者が上半身の姿勢が直立で、背骨が生理的湾曲している姿勢をとっているか否かの判定するものである。
【００４７】
なお、姿勢センサー２３０は、上記のものに限定されない。すなわち、姿勢センサー２３０は、被施療者の身体が背凭れ部３００に寄りかかって接触している状態を検知するものであってもよい。そして、その状態で背凭れ部３００を起こして、上半身の姿勢が直立で、背骨が生理的湾曲している姿勢をとるように背凭れ部３００により被施療者の姿勢を設定してもよい。
【００４８】
さらに、背凭れ部３００を起立した位置に設定してから、姿勢センサー２３０が、被施療者の身体が背凭れ部３００に接触する状態を検知した場合、座部２００に着座した被施療者の上半身の姿勢が直立で、背骨が生理的湾曲している姿勢をとっていると推定するものであってもよい。そして、被施療者の身体が背凭れ部３００に接触していなければ、上記した報知部６７０により報知してもよい。
【００４９】
［脚載せ部９００］
次に、脚載せ部９００は、被施療者の脚を支持するものである。脚載せ部９００は、座部２００の前側の端部に枢支されている。これにより、脚載せ部９００を回動させて、脚載せ部９００の下端を上昇および下降させることができる。
【００５０】
＜呼吸誘導機能付きマッサージチェア１００の内部構成＞
図６は、呼吸誘導機能付きマッサージチェア１００の内部構成の一例を示す模式図である。
【００５１】
図６に示すように、呼吸誘導機能付きマッサージチェア１００は、制御部６００、エアバッグ３１０、メカユニット６２０、背凭れ部回動アクチュエータ６２５、脚載せ部回動アクチュエータ６３０、エアポンプ６３５、電磁弁６４０、圧力センサー６５０、記録部６６０、電源回路６６５および操作部７００を有する。
【００５２】
制御部６００は、被施療者の操作部７００の操作および／または各種センサーの検知結果に基づいて、記録部６６０に記録されているプログラムを読み出して実行することにより、呼吸誘導機能付きマッサージチェア１００の各種の機構を制御するものである。以下、詳細について説明する。
【００５３】
具体的に、制御部６００は、被施療者の操作部７００の操作に基づいて、メカユニット６２０、背凭れ部回動アクチュエータ６２５、脚載せ部回動アクチュエータ６３０、および吸排気機構（エアポンプ６３５および電磁弁６４０）を制御する。
【００５４】
また、前述した荷重計２１０ａ、２１０ｂ、座面センサー２２０、姿勢センサー２３０、および圧力センサー６５０の検知結果に基づいて、メカユニット６２０、背凭れ部回動アクチュエータ６２５、脚載せ部回動アクチュエータ６３０、および吸排気機構（エアポンプ６３５および電磁弁６４０）を制御する。
【００５５】
操作部７００は、被施療者が呼吸誘導機能付きマッサージチェア１００を操作するための装置である。
【００５６】
記録部６６０は、ＲＯＭなどの半導体メモリー、ハードディスク、光ディスクなどであり、制御部６００が実行する制御プログラムが格納されている。
【００５７】
電源回路６６５は、商用電源に接続されており、呼吸誘導機能付きマッサージチェア１００の各種機構に電力を供給する回路である。
【００５８】
メカユニット６２０は、一対の施療子（揉み玉）、上下動駆動ユニット、叩き動作駆動ユニット、揉み動作駆動ユニットおよび筐体から形成される。制御部６００は、メカユニット６２０の各駆動ユニットを動作させることにより、一対の施療子が移動し、被施療者へ施療を実施することができる。
【００５９】
背凭れ部回動アクチュエータ６２５は、背凭れ部３００の下端部と座部２００との間の軸中心で、背凭れ部３００を回動させるためのアクチュエータである。背凭れ部回動アクチュエータ６２５は、背凭れ部３００の下側の連結部材と、座部２００の下に設けられ、当該連結部材を移動させるアクチュエータからなる。
【００６０】
脚載せ部回動アクチュエータ６３０は、脚載せ部９００の上端部を軸にして、脚載せ部９００を回動させ、脚載せ部９００の下端部を上昇または下降させるアクチュエータである。脚載せ部回動アクチュエータ６３０は、座部２００の下方および脚載せ部９００を連結する連結部材と、当該連結部材を動作させるアクチュエータと、からなる。
【００６１】
エアポンプ６３５および電磁弁６４０は、吸排気機構を構成し、それぞれ協働してエアバッグ３１０を吸気排する機構である。
【００６２】
例えば、電磁弁６４０は、分流型の３方弁である。エアポンプ６３５は、配管を通じて電磁弁６４０の入力側の弁に連結されている。電磁弁６２０の出力側の一方の弁は、配管を通じてエアバッグ３１０に連結されている。電磁弁６２０の出力側の他方の弁は大気開放が可能な弁である。
【００６３】
また、圧力センサー６５０は、エアバッグ３１０の内圧を計測可能な位置、具体的には、エアバッグ３１０の外表面に設けられる。圧力センサー６５０は、検知した圧力値を制御部６００に送信する。
【００６４】
また、制御部６００は、エアバッグ３１０を膨張させる場合、電磁弁６２０の入力側の弁と出力側の一方の弁を開状態にし、出力側の他方の弁を閉状態に制御する。この結果、エアポンプ６３５から供給されるエア（気体）がエアバッグ３１０内に流入し、エアバッグ３１０を膨張させることができる。
【００６５】
一方、制御部６００は、エアバッグ３１０を収縮させる場合、電磁弁６２０の入力側の弁を閉状態にし、出力側の一方の弁および他方の弁をともに開状態に制御する。この結果、エアバック３１０に充填されていたエアが出力側の一方の弁を通り、出力側の他方の弁から大気開放され、エアバッグ３１０を収縮させることができる。
【００６６】
以上の内部構成は、呼吸誘導機能付きマッサージチェア１００の座部９００および基台部４００で形成される空間内に配設されている。
【００６７】
＜呼吸誘導機能付きマッサージチェアの動作＞
図７および図８は、呼吸誘導機能付きマッサージチェア１００における制御を示すフローチャート図である。また、図９は、呼吸誘導機能付きマッサージチェア１００における呼吸誘導の施療実施制御の詳細を示すフローチャート図である。以下、図７、図８および図９を参照して呼吸誘導機能付きマッサージチェア１００の動作を説明する。
【００６８】
呼吸誘導機能付きマッサージチェア１００は、初期状態においては、図２の状態にある。制御部６００は、ステップＳ１００からステップＳ１３０までの処理において、被施療者が所定のパターン、すなわち被施療者が正しい姿勢をとるように誘導する制御を行う。以下、具体的に説明を行う。
【００６９】
まず、一対の荷重計２１０ａ、２１０ｂ（図４参照）は、被施療者の荷重を検知する。制御部６００は、一対の荷重計２１０ａ、２１０ｂが荷重を検知したか否かを判定する（ステップＳ１００）。
【００７０】
すなわち、被施療者が座部２００に着座したか否かを一対の荷重計２１０ａ，２１０ｂにより検出している。
【００７１】
制御部６００が一対の荷重計２１０ａ、２１０ｂが荷重を検知したと判定しなかった場合（ステップＳ１００のＮｏ）、制御部６００は、一対の荷重計２１０ａ、２１０ｂが荷重を検知するまで待機する。
【００７２】
一方、制御部６００は、一対の荷重計２１０ａ、２１０ｂが荷重を検知したと判定した場合（ステップ１００のＹｅｓ）、制御部６００は、座部２００に被施療者が着座したと判定する。
【００７３】
次に、制御部６００は、座面センサー２２０の計測結果に基づいて、被施療者の臀部が背凭れ部３００に当接しているか否かを判定する（ステップＳ１１０）。なお、被施療者の臀部が背凭れ部３００に当接しているとは、被施療者が奥まで（座部２００と背凭れ部３００との連結部分側まで）着座していることである。なお、臀部が背凭れ部３００に当接とは、必ずしも完全に接触している状態のみを指すのではなく、近接状態でも実質的に被施療者が奥まで着座している状態であればよい。
【００７４】
荷重計２１０ａ、２１０ｂが荷重を検知している状態で、制御部６００が、被施療者の臀部が背凭れ部３００に当接していないことを判定した場合（ステップＳ１１０のＮｏ）、制御部６００は、脚載せ部回動アクチュエータ６３０を回動させ、脚載せ部６００の下端部を上昇させる（ステップＳ１１１）。
【００７５】
続いて、制御部６００は、報知部６７０に被施療者が座部２００に着座し直すように報知させる（ステップＳ１１２）。
【００７６】
例えば、被施療者の身長が低い場合、すなわち、被施療者の太腿の長さが座部２００の前後方向の長さ以下の場合、被施療者の膝裏が座部の前側に接触し、被施療者の臀部を背凭れ部３００に当接させることができない。この場合、被施療者の膝裏が座部の前側に接触せずに着座できる状態まで脚載せ部９００の下端を上昇して、被施療者に座部２００に着座し直してもらう。この結果、被施療者の臀部を背凭れ部３００に容易に当接させることができる。
【００７７】
また、報知する方法としては、報知部６７０により、音による報知および／または映像による報知を行い、報知が完了するとステップＳ１１０に戻る。
【００７８】
例えば、音による報知としては、着座を促す音楽を出力する、および／または、「どうぞお座り下さい。」という音声を出力することが挙げられる。映像による報知としては、被施療者が座部２００に着座している映像を表示すること、および／または「どうぞお座り下さい。」という文章を表示することが挙げられる。
【００７９】
次に、制御部６００が、被施療者の臀部が背凭れ部３００に当接していること、すなわち、被施療者が奥まで（座部２００と背凭れ部３００との連結部分まで）着座していることを判定した場合（ステップＳ１１０のＹｅｓ）、ステップＳ１２０に進む。
【００８０】
一対の荷重センサー２１０ａ、２１０ｂが被施療者の左右の荷重を計測する。そして、制御部６００は、荷重センサー２１０ａが計測した荷重と荷重センサー２１０ｂが計測した荷重が均等であるか否かを判定する（ステップＳ１２０）。なお、被施療者の左右の荷重が均等であるとは、被施療者が座部２００に着座している状態で被施療者の体重が左右のいずれか一方に傾いていないことである。
【００８１】
制御部６００は、荷重センサー２１０ａが計測した荷重と、荷重センサー２１０ｂが計測した荷重と、が均等でないことを判定した場合（ステップ１２０のＮｏ）、制御部６００は、被施療者に対して、左右の傾きを修正するように報知部６７０に報知させる（ステップＳ１２１）。
【００８２】
制御部６００は、荷重センサー２１０ａが計測した荷重と荷重センサー２１０ｂが計測した荷重とが均等であることを判定した場合（ステップＳ１２０のＹｅｓ）、姿勢センサー２３０が被施療者の姿勢を検知する。姿勢センサー２３０の計測結果に基づいて、制御部６００は、被施療者が、背骨が生理的湾曲している姿勢をとっているか否かを判定する（ステップＳ１３０）。
【００８３】
ここで、背骨が生理的湾曲している姿勢をとっているとは、背骨が緩やかなＳ字カーブを描いていることをいい、より詳細には、首が前湾しており、背中が後湾しており、腰（胸のから下）が前湾しており、被施療者を横から見た時に、耳の穴、肩の中心、股関節が直線上にある状態をいう。
【００８４】
制御部６００が、被施療者が、背骨が生理的湾曲している姿勢をとっていないことを判定した場合（ステップＳ１３０のＮｏ）、制御部６００は、被施療者が姿勢を修正するように報知部６７０に報知させる（ステップＳ１３１）。報知完了後、ステップＳ１３０に戻る。
【００８５】
制御部６００は、被施療者が、背骨が生理的湾曲している姿勢をとっていることを判定した場合（ステップＳ１３０のＹｅｓ）、制御部６００は、背凭れ部回動アクチュエータ６２５を制御することにより、背凭れ部３００を起立状態にする（ステップＳ１４０）。具体的には、図２に示した背凭れ部３００の状態から図３に示した背凭れ部３００の状態へ移行する。
【００８６】
また、具体的に正しい姿勢とは、被施療者の左右の荷重が均等であり、被施療者の臀部が背凭れ部に当接しており、被施療者が、背骨が生理的湾曲している姿勢をとっていることである。
【００８７】
被施療者が、背骨が生理的湾曲している姿勢をとっている場合に、背凭れ部３００を起立状態にするので、背凭れ部３００のサポート受けて、被施療者の背骨が生理的湾曲している姿勢を容易に維持することができる。この結果、被施療者の口からの気道が最適な状態となり、被施療者が容易に自然と呼吸し易い姿勢で呼吸誘導の施療を受けることができる。
【００８８】
制御部６００は、背凭れ部回動アクチュエータ６２５を制御することにより、背凭れ部３００を起立状態にした後、ステップＳ１５０に進む。
【００８９】
制御部６００は、圧力センサー６５０からの圧力値のフィードバックに基づいて、エアポンプ６３５および電磁弁６４０を有する吸排気機構を制御することにより、エアバッグ３１０を膨縮させて、呼吸誘導の施療を行う（ステップＳ１５０）。呼吸誘導の施療の詳細については、後述する。
【００９０】
続いて、被施療者は、呼吸誘導の施療の後、通常のマッサージを実施したい場合、操作部７００を操作し、通常のマッサージを選定する。制御部６００は、操作部７００からの通常のマッサージの有無を判定する（ステップＳ１６０）。ここで、通常のマッサージの選択がない場合（ステップＳ１６０のＮｏ）、制御部６００は、処理を終了する。
【００９１】
一方、通常のマッサージの選択がある場合（ステップＳ１６０のＹｅｓ）、制御部６００は、メカユニット６２０を制御することにより通常のマッサージを実施するように制御する（ステップＳ１７０）。通常のマッサージの実施後、制御部６００は、処理を終了する。
【００９２】
［呼吸誘導の施療実施制御（ステップＳ１５０）の詳細］
次に、呼吸誘導の施療の詳細、すなわち、図８のステップＳ１５０の処理について説明を行う。
【００９３】
図９は、呼吸誘導機能付きマッサージチェア１００におけるステップＳ１５０における呼吸誘導の施療実施制御の詳細を示すフローチャート図である。
【００９４】
制御部６００は、吸排気機構（エアポンプ６３５および電磁弁６４０）を制御して、エアバッグ３１０に対して吸排気を繰り返すことにより、被施療者に対して呼吸誘導の施療を行う。
【００９５】
図５および図９に示すように、まず、制御部６００は、エアバッグ３１０ｅ、３１０ｆを膨らませるよう制御する（ステップＳ１５１）。次に、エアバッグ３１０ｃ、３１０ｄを膨らませるよう制御する（ステップＳ１５２）。次いで、エアバッグ３１０ｅ、３１０ｆを収縮させるよう制御する（ステップＳ１５３）。
【００９６】
続いて、エアバッグ３１０ａ、３１０ｂを膨らませるよう制御する（ステップＳ１５４）。次いで、エアバッグ３１０ｃ、３１０ｄを収縮させるよう制御する（ステップＳ１５５）。続いて、エアバッグ３１０ａ，３１０ｂを収縮させるよう制御する（ステップＳ１５６）。
【００９７】
上述のように、エアバッグ３１０ａ，〜，３１０ｆをそれぞれ、背凭れ部３００の下方から上方に向けて膨縮動作を繰り返すことで、被施療者の背中を、ゆったりと押す呼吸誘導の施療を実施することができる。
【００９８】
最後に、制御部６００は、被施療者が操作部７００（図６）の終了ボタンを押したか否かを判定する（ステップＳ１５７）。操作部７００の終了ボタンが押されていないことを判定した場合（ステップＳ１５７のＮｏ）、制御部６００は、ステップＳ１５１の処理からステップＳ１５７の処理を繰り返す。
【００９９】
一方、制御部６００が、操作部７００の終了ボタンが押されたことを判定した場合（ステップＳ１５7のＹｅｓ）、ステップＳ１５０の呼吸誘導の施療実施制御を終了し、図８のステップＳ１６０に進む。
なお、本実施の形態においては、エアバッグ３１０ａ，〜，３１０ｆをそれぞれ、背凭れ部３００の下方から上方に向けて繰り返し膨縮を繰り返すこととしているが、これに限定されず、背凭れ部３００の上方から下方に向けてのみ繰り返し、または下方から上方に向けて動作した後、上方から下方に向けてを繰り返し、またはその逆の動作（上方から下方に向けて動作した後、下方から上方に向けてを繰り返し）でもよい。
【０１００】
なお、図９に示した呼吸誘導の施療実施制御において、音および／または映像を被施療者に報知する報知部６７０（図１参照）を用いてもよい。施療部としてのエアバッグ３１０による呼吸誘導の施療に加えて、報知部６７０が音および／または映像により呼吸誘導を補助した場合、より確実でより優れた施療効果を得ることができる。その結果、被施療者を早期にくつろいだ状態に導くことができる。
【０１０１】
なお、本実施の形態においては、座面センサー２２０を用いているが、これに限定されず、姿勢センサー２３０により、座面センサー２２０の機能を持たせてもよく、荷重計２１０ａ、２１０ｂを座部２００と背凭れ部３００との間に配置し、座面センサー２２０の代用としても良い。この場合、座面センサー２２０を省略することができる。
【０１０２】
以上、図７、図８、および図９のフローチャート図に従って、マッサージを行うことにより、被施療者は、正しい姿勢をとってから呼吸誘導を開始することができる。この結果、被施療者が最適な姿勢で呼吸誘導の施療を受けることができる。また、被施療者は最適な姿勢で、通常の揉み、叩き等のマッサージによる施療を受けることができる。従って、高い施療効果を得ることができる。
【０１０３】
なお、ステップＳ１７０の処理である通常のマッサージの場合、背凭れ部３００は、図３の状態から図２の状態へ移行させてもよい。
【０１０４】
なお、従来のマッサージチェアに座る場合、被施療者が正しい姿勢をとっているつもりでも、被施療者の臀部が背凭れ部３００に当接していなかったり、背骨が生理的湾曲している姿勢をとっていなかったりする場合がある。この結果、被施療者自身の感覚で正しい姿勢をとっていると認識し、施療を開始してしまい、十分な施療の効果を得られないことがあった。
【０１０５】
これに対して、本実施の形態のマッサージチェアの場合は、被施療者が必ず正しい姿勢をとってから、施療を開始するため、上記従来の問題を解決することができる。
【０１０６】
本発明は、呼吸誘導機能付きマッサージチェア１００は、「呼吸誘導機能付きマッサージチェア」に相当し、座部２００は、「座部」に相当し、エアバッグ３１０は、「施療部」に相当し、背凭れ部３００は、「背凭れ部」に相当し、姿勢センサー２３０、荷重計２１０ａ、２１０ｂ、座面センサー２２０は、「姿勢検知部」に相当し、制御部６００は、「制御部」に相当し、正しい姿勢は、「所定のパターン」に相当し、荷重計２１０ａ、２１０ｂは、「荷重計」に相当し、座面センサー２２０は「座面センサー」に相当し、姿勢センサー２３０は、「姿勢センサー」に相当し、脚載せ部９００は、「脚載せ部」に相当し、脚載せ部回動アクチュエータ６２５は、「脚載せ部回動アクチュエータ」に相当し、エアバッグ３１０（３１０ａ，〜，３１０ｆ）は「エアバッグ」に相当し、エアポンプ６３５、電磁弁６４０は、「吸排気機構」に相当し、報知部６７０は、「報知部」に相当する。
【０１０７】
本発明の好ましい一実施の形態は上記の通りであるが、本発明はそれだけに制限されない。本発明の精神と範囲から逸脱することのない様々な実施形態が他になされることは理解されよう。さらに、本実施の形態において、本発明の構成による作用および効果を述べているが、これら作用および効果は、一例であり、本発明を限定するものではない。
【符号の説明】
【０１０８】
１００            ：呼吸誘導機能付きマッサージチェア
２００            ：座部
２１０ａ、２１０ｂ：荷重計
２２０            ：座面センサー
２３０            :姿勢センサー
３００            ：背凭れ部
３１０、３１０ａ、３１０ｂ、３１０ｃ、３１０ｄ、３１０ｅ  ：エアバッグ
５００            ：腕施療部
６００            ：制御部
６２０            ：メカユニット
６２５            ：背凭れ部回動アクチュエータ
６３０            ：脚載せ部回動アクチュエータ
６３５            ：エアポンプ
６４０            ：電磁弁
６５０            ：圧力センサー
６６０            ：記録部
６６５            ：電源回路
６７０            ：報知部
７００            ：操作部
８００            ：スタンド
９００            ：脚載せ部
【図１】
2018130230.tif 000003
【図２】
2018130230.tif 000004
【図３】
2018130230.tif 000005
【図４】
2018130230.tif 000006
【図５】
2018130230.tif 000007
【図６】
2018130230.tif 000008
【図７】
2018130230.tif 000009
【図８】
2018130230.tif 000010
【図９】
2018130230.tif 000011